(57)【要約】【課題】  材料費を抑制し、軽量化も図れ、サイドベルトの長さ調節も容易にし、外観も向上させる。【解決手段】  ゴルフクラブを収納するキャディバッグ本体１の中央上部にセンターベルト４の一端を取付け、サイドベルト連結金具７に一対のサイドベルト６を取付け、サイドベルトの他端をキャディバッグ本体下部の左右両側部に連結し、サイドベルト連結金具にセンターベルトのもう一端を連結した３点式ショルダーベルトを備えたキャディバッグにおいて、キャディバッグ本体下部の左右両側部近傍からキャディバッグ本体の中央下部に設けられた小物収納部９の両側近傍にわたって一対のサイドベルトを緩やかに通す広い通路を形成する両端開口のベルトガイド１０を取付け、このベルトガイドをキャディバッグ本体に取付けられる一対の取付縁部１１とこの取付縁部から立ち上って通路スペースを確保する一対の立上部１２及び立上部をつなぐカバー部１３から形成した。【選択図】  図１
2006181213.tif 000002
【特許請求の範囲】
【請求項１】
ゴルフクラブを収納するキャディバッグ本体の中央上部にセンターベルトの一端を取付け、サイドベルト連結金具に一対のサイドベルトを取付け、サイドベルトの他端をキャディバッグ本体下部の左右両側部に連結し、サイドベルト連結金具にセンターベルトのもう一端を連結した３点式ショルダーベルトを備えたキャディバッグにおいて、
前記キャディバッグ本体下部の左右両側部近傍からキャディバッグ本体の中央下部に設けられた小物収納部の両側近傍にわたって一対のサイドベルトを緩やかに通す広い通路を形成する両端開口のベルトガイドを取付け、
このベルトガイドをキャディバッグ本体に取付けられる一対の取付縁部とこの取付縁部から立ち上って通路スペースを確保する一対の立上部及び立上部をつなぐカバー部から形成したことを特徴とするキャディバッグ。
【請求項２】
前記サイドベルトは２分割され、ベルトガイドの通路内においてジョイントを介して着脱可能に連結されていることを特徴とする請求項１に記載のキャディバッグ。
【請求項３】
前記ベルトガイドをプラスチック材料で形成したことを特徴とする請求項１又は２に記載のキャディバッグ。
【請求項４】
前記ベルトガイドの上部の開口幅を下部の開口幅よりも広くしたことを特徴とする請求項１ないし３のいずれか１項に記載のキャディバッグ。
【請求項５】
前記ベルトガイドのカバー部の上端及び下端又は下端のみに中央に向けて切り開いた切欠開口を形成したことを特徴とする請求項１ないし４のいずれか１項に記載のキャディバッグ。
【請求項６】
前記ベルトガイドが、着脱自在となるように繋止アタッチメントを介してキャディバッグ本体に取付けられたことを特徴とする請求項１ないし５のいずれか１項に記載のキャディバッグ。
【発明の詳細な説明】
【技術分野】
【０００１】
本発明は、キャディバッグ本体に取付ける、３点式ショルダーベルトのサイドベルト取付け部に特徴を有するキャディバッグに関する。
【背景技術】
【０００２】
従来の３点式ショルダーベルトは、キャディバッグ本体の中央上部に配置されたセンターベルト取付金具に、センターベルトの一端に取付けた着脱自在の繋止アタッチメントを連結し、一対のサイドベルトの一端をサイドベルト連結金具に取付け、他端をキャディバッグ本体下部の左右両側部に取付けられたサイドベルト取付金具に連結し、センターベルトのもう一端に取付けられた着脱自在の繋止アタッチメントをサイドベルト連結金具に取付け、キャディバッグを３点で支持する構造となっている。
【０００３】
従来の３点式ショルダーベルトでは、キャディバッグを立て掛けると、ショルダーベルトがキャディバッグ本体下部の小物収納部の開閉部上に垂れ下がり、小物収納部内の物の出し入れに支障を来たしていた。また、垂れ下がったショルダーベルトが地面に接地し汚れると共に、キャディバッグを担いだ時に服を汚すことがあった。さらに、ショルダーベルトが捩じれて、キャディバッグを担いだ時に引っかかることがあった。また、キャディバッグ本体にタスキ掛け状にデザインが施された場合に、ショルダーベルトがデザイン面を横切るため、外観的にも改善が求められていた。
【０００４】
そこで、３点式ショルダーベルトの取付けを工夫し、上述のような欠点を解消したものが開発された。これは、キャディバッグ本体下部の小物収納部の両側部より斜め上方に背袋の端部まで、キャディバッグの側面材の上に、第２側面材を重ね、サイドベルトを第２側面材の下に通し、キャディバッグを担いだり立て掛けたときに、サイドベルトが可動するよう一部を開口して、他の周囲を縫着するというものである。このような構造にすることにより、キャディバッグを立て掛けたとき、３点式ショルダーベルトが下に垂れ下がり、小物収納部の開閉に支障を来たしたり、ベルトが地面に接地し汚れたり、キャディバッグを担いだ時に服を汚すこともなくなる。また、ベルトが捩じれないので、キャディバッグを担ぎ易くなるものである（特許文献１参照）。
【特許文献１】特許第３１１７９３９号公報（第２頁、図１）
【発明の開示】
【発明が解決しようとする課題】
【０００５】
従来のキャディバッグにおける第２側面材は、キャディバッグの側面材と同一素材で形成され、小物収納部の左右両側部より小物収納部の反対側に設けられた背袋の側面端まで斜め上方に重ねたもので、キャディバッグを担いだり立て掛けたときに、サイドベルトが可動するよう第２側面材の上下に開口部を設け、他の周囲を縫着してあり、第２側面材の表面には、任意の文字やデザイン等の意匠を施しているものである。したがって、上下開口部からサイドベルトが挿入される通路のスペースは比較的狭く、この通路内に脱着用アタッチメントとか長さ調整用バックル、あるいは種々のベルト以外の器具類は通しにくいものであった。また、第２側面材は、バッグ全体の中で比較的大きな面積を占め、材料費も嵩み、かつ重量的にも軽量化を図るという面からは不利であった。さらに、第２側面材の内側を通すベルトには、ベルト以外の上述したような器具類は存在させることが困難であるため、サイドベルトの長さ調節はキャディバッグの下部に取付けた取付金具で行うようにしてあり、サイドベルトにあけた孔に取付金具のピンを挿通して長さ調節を図る操作がしにくいものであった。
【０００６】
そこで、本発明は、従来と同様の効果を奏しつつ、材料費を抑制し、軽量化も図れ、サイドベルトの長さ調節も容易にし、外観も向上させたキャディバッグを提供することを目的とする。
【課題を解決するための手段】
【０００７】
上述の目的を達成するため、この発明は、ゴルフクラブを収納するキャディバッグ本体の中央上部にセンターベルトの一端を取付け、サイドベルト連結金具に一対のサイドベルトを取付け、サイドベルトの他端をキャディバッグ本体下部の左右両側部に連結し、サイドベルト連結金具にセンターベルトのもう一端を連結した３点式ショルダーベルトを備えたキャディバッグにおいて、前記キャディバッグ本体下部の左右両側部近傍からキャディバッグ本体の中央下部に設けられた小物収納部の両側近傍にわたって一対のサイドベルトを緩やかに通す広い通路を形成する両端開口のベルトガイドを取付け、このベルトガイドをキャディバッグ本体に取付けられる一対の取付縁部とこの取付縁部から立ち上って通路スペースを確保する一対の立上部及び立上部をつなぐカバー部から形成したものである。
【発明の効果】
【０００８】
本発明は、ゴルフクラブを収納するキャディバッグ本体の中央上部にセンターベルトの一端を取付け、サイドベルト連結金具に一対のサイドベルトを取付け、サイドベルトの他端をキャディバッグ本体下部の左右両側部に連結し、サイドベルト連結金具にセンターベルトのもう一端を連結した３点式ショルダーベルトを備えたキャディバッグにおいて、前記キャディバッグ本体下部の左右両側部近傍からキャディバッグ本体の中央下部に設けられた小物収納部の両側近傍にわたって一対のサイドベルトを緩やかに通す広い通路を形成する両端開口のベルトガイドを取付け、このベルトガイドをキャディバッグ本体に取付けられる一対の取付縁部とこの取付縁部から立ち上って通路スペースを確保する一対の立上部及び立上部をつなぐカバー部から形成したので、キャディバッグを立て掛けたとき、３点式ショルダーベルトが小物収納部の開閉部上に垂れ下がらず、小物収納部内の物の出し入れに支障を来たさなくなり、垂れ下がったベルトが地面に接地しないので汚れず、キャディバッグを担いだ時に服を汚すことがなくなるとともに、ベルトが捩じれて、キャディバッグを担いだ時に服に引っかかることがなくなり担ぎ易くなったという従来と同様の効果を奏しつつ、次のような特有の効果も奏する。すなわち、従来のようにキャディバッグ自体を形成する素材で、バッグ全体のかなりの面積を占めるようには取付けていないので、材料費の低減や重量の軽減に役立つ。また、ベルトガイドの構成から、この内部にサイドベルトの長さ調節用の部材、ジョイントなどの器具類を挿通しておくこともでき、ベルトガイドからこれらを引き出せば、容易に調節できるのみならず、ジョイントなどをこのベルトガイドで保護することができる。また、外観もユニークなものとなり、このベルトガイドへの着色などの施し方如何では、識別力の高いものとなる。さらに、ベルトガイドを着脱自在とすれば、違う色、デザインのものと交換できるため、自分の好みに合せて取り替えることができる。
【発明を実施するための最良の形態】
【０００９】
以下に、本発明の実施形態を図面を参照にして説明する。
【００１０】
図１に示すようにキャディバッグ本体１の中央上部に取付けたセンターベルト取付金具２の円型環に肩当て部分３を有するセンターベルト４の一端に取付けた着脱自在の繋止アタッチメント５を連結する。キャディバッグ本体１の下部の左右両側部に、サイドベルト６の下端部６Ａを取付ける。一対のサイドベルト６の一端は、サイドベルト連結金具７の円型環に巻き込むように折り返して取付けてある。サイドベルト連結金具７にセンターベルト４のもう一端に取付けた着脱自在の繋止アタッチメント８を連結し、一対のサイドベルト６の他端は、キャディバッグ本体１の下部の左右両側部近傍からキャディバッグ本体１の中央下部に設けられた小物収納部９の両側近傍にわたって取付けられた両端開口のベルトガイド１０に通してある。このベルトガイド１０は、キャディバッグ本体１に取付けられる一対の取付縁部１１とこの取付縁部１１から立ち上って通路スペースを確保する一対の立上部１２及び立上部１２をつなぐカバー部１３から形成してある。
【００１１】
前記小物収納部９の反対側には背袋１４を設けてあり、両側面の一方には傘収納部１５を設けてある。この傘収納部１５の挿入口１６から挿入された傘の先端は下方に設けられた小開口部１７から露出するようになっている。前記挿入口１６は、ゴムないしはプラスチック材料からなる鍔状部材１８の中心にあけた孔から成る。この傘収納部１５は、袋状であり、図示しない傘はこの袋の中へ収納され、先端と把手が外部に露出する。
【００１２】
図２は、キャディバッグ本体１の両側下方部分に取付けたベルトガイド１０の平面図であり、図３は図２のＡ−Ａ線断面図である。また、図４は図２のＢ−Ｂ線断面図である。このベルトガイド１０としては、各種プラスチック材料で成形されるのが、軽量化を図りコストを低くするためにも好ましい。例えば、ポリ塩化ビニル、ポリプロピレン、ポリエチレン、各種合成ゴムが好適に用いられる。中でも、弾性に富んだゴム又はプラスチックが破損や変形しにくい点において特に好ましい。
【００１３】
また、このベルトガイド１０の上部の開口幅Ｗ１を下部の開口幅Ｗ２よりも広く形成し、開口幅Ｗ１の幅内でサイドベルト６が開口幅方向に十分に可動となるようになっている。下部の開口幅Ｗ２はサイドベルト６の幅より２〜７５ｍｍ、さらに好ましくは５〜５５ｍｍ広くするのがサイドベルト６を下部へ無理なく引き出すために好適である。上部の開口幅Ｗ１はサイドベルト６の幅より１０〜１５０ｍｍ、さらに好ましくは２５〜１２０ｍｍ広くすることでサイドベルト６が十分に可動となる点において好適である。具体的な数値としては、下部の開口幅Ｗ２は３７〜１１０ｍｍ、さらに好ましくは４０〜８０ｍｍが好適である。上部の開口幅Ｗ１は４５〜１８５ｍｍ、さらに好ましくは８０〜１５０ｍｍが好適である。上述の数値はサイドベルト６の幅により好ましい範囲は変わってくる(上述の範囲はサイドベルト６の幅を約３５ｍｍとした場合である)。また、キャディバッグ本体１とカバー部１３までの高さＨも、ベルト同士を連結するためのジョイント２０など（後述する）の器具類を収めるに足る大きさ、広さを有するように形成しておく。この開口高さＨは、図４に示す下部の開口高さｈよりも低く形成してある。この開口高さｈを開口高さＨよりも高くしたのは、サイドベルト６を下方に引き出し易くするためである。この開口高さの差（ｈ−Ｈ）は、１〜４０ｍｍ、さらに好ましくは２〜３０ｍｍとするのが外観面から好適である。これは上部の開口高さＨはサイドベルト６が通り、窮屈にならない程度で良く、下部の開口高さｈは様々なジョイントをベルトガイド１０の下側へ引き出せることが必要な為である。具体的な数値としては、上部の開口高さＨは３〜６０ｍｍ、さらに好ましくは１２〜４０ｍｍとするのが好適である。下部の開口高さｈについては１１〜８０ｍｍ、さらに好ましくは１５〜６０ｍｍとするのが好適である。上述の数値はサイドベルト６の厚さやジョイントの厚さにより好ましい範囲は変わってくる。(上述の範囲はサイドベルトの厚さを約２ｍｍ、ジョイントの厚さを約１０ｍｍとした場合である)。なお、ベルトガイド１０のキャディバッグ本体１への取付けは、取付縁部１１をビス止め、縫着、接着などの手段を用いて強固に取付ける。前記カバー部１３の上端及び下端は、中央に向けて切り開いた切欠開口１３Ａ，１３Ｂに形成してある。特に切欠開口１３Ｂを形成することにより、サイドベルト６を下方に引き出し易くなる。
【００１４】
図５は、サイドベルト６の分解平面図であり、２分割されたベルト６Ａ，６Ｂの一方のベルト６Ａはキャディバッグ本体１の下部にその下端を縫着してあり、上端に折返具１９を取付けてあり、他方のベルト６Ｂの先端にジョイント２０を構成するオス部材２０Ａを取付け、中間にこのオス部材２０Ａが挿入されてロックされるメス部材２０Ｂを取付けてあり、このメス部材２０Ｂから先はベルトが２重に折り重ねられ、途中に長さ調節用のバックル２１を取付けてある。サイドベルト６は、サイドベルト連結金具７に対して折り返して取付けてある（図６参照）。この連結金具７の個所で折り返され、２重に伸びるサイドベルト６の一方はバックル２１の中央部に取付けられ、他方はバックル２１の一方の孔から他方の孔へ通してメス部材２０Ｂに取付けられる（図７参照）。前記ジョイント２０のオス部材２０Ａは、折返具１９に挿入され、折り返されてメス部材２０Ｂに挿入、ロックされる。このジョイント２０と折返具１９とは、ベルトガイド１０の通路スペース内に位置する。サイドベルト６の分離（６Ａと６Ｂに分離）を図るには、ベルト６Ａを下方に引き出してジョイント２０を外に引き出し、オス部材２０Ａをメス部材２０Ｂから外す。ベルト６Ａと分離されたベルト６Ｂを上方に引き出し、このベルト６Ｂをバックル２１の個所で長さ調節をすることができる。なお、ジョイント２０は図５に明示したものに限らず、ナスカンを利用したもの等、公知のジョイントの採用も可能である。
【００１５】
図８は、鍔状部材１８を示し、ゴム材料から形成してあり、開口１８Ａの近傍を中心に向けて低くなるようなテーパ１８Ｂに形成し、傘の出し入れをし易くしてある。
【００１６】
図９は、ベルトガイド１０をキャディバッグ本体１に着脱自在となるように繋止アタッチメントを介して取付けた例を示すものである。繋止アタッチメントの一例としては、本体１に取付けたナスカン２３にベルトガイド１０に取付けたリング２２を着脱する方法がある。他の例としては、本体１側にオスネジを装着し、ベルトガイド１０に穴を形成し、この穴に通したオスネジにメスネジをねじ込んでベルトガイド１０を取付ける方法もある。
【００１７】
図１０は、ベルトガイド１０をキャディバッグ本体１に着脱自在とする繋止アタッチメントの例として面ファスナー２４を介して取付けた例を示すものである。ベルトガイド１０の取付縁部１１裏面に面ファスナー２４を縫着等の手段にて強固に固着する。この面ファスナー２４の対となる面ファスナー（図示せず）は、キャディバッグ本体１の中央下部に設けられた小物収納部９の両側近傍に縫着等の手段により強固に固着する。なお、面ファスナー２４の幅ａ，ｂは１０〜３０ｍｍとするのが好ましく、さらに好ましくは１５〜２５ｍｍとするのが好適である。これはキャディバッグ本体１とベルトガイド１０の固着力を適切とする面及び外観面を考慮したためである。
【００１８】
図１１は、ベルトガイド１０をキャディバッグ本体１に着脱自在となるようにホック２５を介して取付けた例を示すものであり、ベルトガイド１０の取付縁部１１裏面にホック２５をビスやリベット、打ち具等の手段にて強固に固着する。このホック２５の対となるホック（図示せず）は、キャディバッグ本体１の中央下部に設けられた小物収納部９の両側近傍にビスやリベット、打ち具等の手段により強固に固着する。なお、ホック２５はストロングホックと呼ばれるものが好ましく、ベルトガイド１０とキャディバッグ本体１を固着するには２〜８個を各々に取付けるのが好ましい。着脱の容易さとキャディバッグ本体１とベルトガイド１０の固着力を適切とするには４〜６個のホック２５を各ベルトガイド１０とその対となるホックをキャディバッグ本体１に取付けることがより好ましい。
【００１９】
前記ベルトガイド１０に用いる繋止アタッチメントとしては、リング２２とナスカン２３、面ファスナー２４、ホック２５について図面に基づいて説明したが、通常のファスナーや磁力利用、あるいは図５に示すようなオス部材２０Ａとメス部材２０Ｂを利用することもでき、その他公知の着脱手段の採用も可能である。
【００２０】
図１２は、ベルトガイド１０を応用して、キャディバッグ本体１のサイド面を利用し、傘収納部１５を形成した例を示す。このベルトガイドを応用した傘収納部１５の大きさを、図１２においてもっと縦長を短くすることもできる。この図１２に示す傘収納部１５の上の開口から下の開口に傘を差し込み、傘を収納することができる。
【図面の簡単な説明】
【００２１】
【図１】本発明の好適な実施形態を示す全体の斜視図。
【図２】ベルトガイドの平面図。
【図３】図２のＡ−Ａ線断面図。
【図４】図２のＢ−Ｂ線断面図。
【図５】サイドベルトの分解平面図。
【図６】サイドベルト連結金具の個所のサイドベルトを示す斜視図。
【図７】長さ調節用のバックルの個所のサイドベルトを示す正面図。
【図８】鍔状部材の正面図。
【図９】ベルトガイドとキャディバッグ本体とをナスカンとリングを使用して着脱自在とした例を示す図。
【図１０】ベルトガイドとキャディバッグ本体とを面ファスナーを使用して着脱自在とした例を示す図。
【図１１】ベルトガイドとキャディバッグ本体とをホックを使用して着脱自在とした例を示す図。
【図１２】ベルトガイドの傘収納部への応用例を示す図。
【符号の説明】
【００２２】
１    キャディバッグ本体
４    センターベルト
６    サイドベルト
７    サイドベルト連結金具
９    小物収納部
１０  ベルトガイド
１１  取付縁部
１２  立上部
１３  カバー部
【図１】
2006181213.tif 000003
【図２】
2006181213.tif 000004
【図３】
2006181213.tif 000005
【図４】
2006181213.tif 000006
【図５】
2006181213.tif 000007
【図６】
2006181213.tif 000008
【図７】
2006181213.tif 000009
【図８】
2006181213.tif 000010
【図９】
2006181213.tif 000011
【図１０】
2006181213.tif 000012
【図１１】
2006181213.tif 000013
【図１２】
2006181213.tif 000014